(57)【要約】　　　（修正有）【課題】撮影目的、ネットワーク伝送速度に応じて画面解像度、撮影間隔、圧縮比等を選択可能な撮影状態可変型ネットワーク画像伝送システム【解決手段】従来毎秒３０コマという撮影速度や３０万画素といった解像度に固定されていたネットワーク対応デジタルカメラ等画像伝送装置に対して解像度やコマ速度、圧縮比等の伝送指示情報を随時指示することにより、ネットワーク伝送速度に最適な伝送形式で画像データを伝送する機構であって、ネットワークで常時接続されたデジタルカメラなど撮像伝送装置に対して、撮影解像度、圧縮比、撮影間隔、露光時間、二重露光合成等をネットワークを介して指示し、撮影出力されたデジタル画像データをネットワークを介して伝送できるデジタルカメラ及びネットワークモデムシステム、制御用コンピュータソフトウェアである。【選択図】図１
0003098850.tif 000002
【実用新案登録請求の範囲】
【請求項１】
ＬＡＮ、ＷＡＮ等の外部ネットワークから撮影解像度及び撮影間隔、シャッター速度、画像圧縮比等のカメラ制御指示を受信して各画像毎に撮影状態を変更可能なデジタルカメラ。（図１）
【請求項２】
上記デジタルカメラに撮影状態を指示すると共に複数機のカメラからの画像データを整列させ、順次ネットワークに伝送するマルチプレクサ型ネットワークモデム及び画像モニタ、蓄積制御ユニット。（図１）
【請求項３】
上記デジタルカメラ単体及びマルチプレクサ型ネットワークモデムにネットワークを通じて撮影状態指示を発信すると共に、画像データを受信するコンピュータソフトウェア。（図１）
【考案の詳細な説明】
【０００１】
【考案の属する技術分野】本発明は伝送速度が限られたネットワーク伝送に於いて、必要な撮影間隔と最良の画質伝送を両立するための画像伝送手段である。
【０００２】
【従来の技術１】従来の汎用規格での映像伝送は毎秒約３０コマ、最大解像度３４万５，６００画素（７２０ｘ４８０ピクセル）というテレビ・カメラによる伝送であったことから画像１枚あたりの容量を小さく圧縮する必要があり、良質な画質での伝送には高速のネットワーク回線が必要であった。
【０００３】
【従来の技術２】数百万画素を実現するデジタルカメラを用いた画像伝送では解像度や圧縮比、シャッター速度、撮影間隔といったカメラ制御信号をネットワークを通じて指示できるものがなく、撮影状況に応じて随時カメラ状態を変更する手段がなかった。
【０００４】
【考案が解決しようとする課題１】本発明では、数十万画素から数百万画素を切り替え可能なデジタルカメラの解像度、圧縮比、シャッター速度、撮影間隔といったカメラ制御信号をネットワークを通じて指示することにより、ネットワーク伝送速度に応じて必要な撮影間隔と最良の画質伝送を両立するシステムとして、専用のカメラ、ネットワークモデム制御ユニット、コンピュータソフトウェアを初めて開発するものである。
【０００５】
【従来の技術２】ＡＴＭなどの監視カメラでは高画質を得るために数十日分撮影可能な大型ロールフィルムを用いた銀塩カメラを使用しており、事件の証拠写真を得るにはフィルムを現像して事件発生時のフィルムを探し出し、焼き増しした写真を得るまでに数日から十数日の日数を要していた。
【０００６】
【従来の技術３】ＡＴＭに限らず、多くの防犯監視カメラは各画像が同じ解像度となるテレビカメラ映像をビデオ録画機に記録することから詳細な画像が得られず、コンピュータを用いた画像解析でも数人の人物が映った画像から特定の人物の指先を鮮明に描写することはできなかった。
【０００７】
【課題を解決するための手段２・３】上記の問題点を解決するために本発明では、解像度可変のデジタルカメラを用いて、数百万画素の高詳細画像と、対象の動きを認識し易い低解像度の映像を連続して撮影し、ネットワークを介してディスク・レコーダやサーバに蓄積することにより、異なる画質、異なる撮影間隔の画像データを遠隔地から直ちに確認できるようにしている。
【０００８】
【考案の実施の形態】本発明は、ネットワークを介して解像度、圧縮比、シャッター速度、撮影間隔といったカメラ制御が可能なデジタルカメラと、複数のデジタルカメラにネットワークを介して指示を与え、オプション装備するディスクに画像を記録、ディスプレイに画像を描画すると共に、ネットワークを介した外部コンピュータ等と画像データとカメラ制御信号の送受信を行うマルチプレクサ型モデムによるシステムである。
【０００９】
【実施例】上記システムはディスク及びディスプレイユニット、無線ＬＡＮ受信器等のオプション装備が可能なマルチプレクサ型モデムユニットと、ネットワーク対応・解像度可変型デジタルカメラを基本システムとする。（図１）
【００１０】発達型ではネットワーク対応・解像度可変型デジタルカメラにケーブルを介さずに画像、映像を伝送できる無線ＬＡＮアダプタを、マルチプレクサ型モデムユニットには現場での録画及び映像確認を可能とするディスクレコーダ、ディスプレイ及び制御ソフトウェアを追加装備可能とする。（図１）
【００１１】
【考案の効果１】本発明により、事件事故災害等で撮影現場の機材を失われるような事態が発生しても、ネットワーク伝送速度に応じて最良の画質と必要な撮影間隔で撮影された画像が、撮影機材の能力が失われる直前までネットーワークを通じて他の場所に保管されており、高詳細画像と連続映像とによって状況解析をより確実に行えるようになる。
【００１２】
【考案の効果２】本発明は撮影現場にモーターや冷却ファンなどの可動部品を持つ機器を必要とせず、システム自体の発熱量及び消費電力も極めて小さいことから、幅広い環境に対応すると共に、撮影現場に機器の操作や補修技術を習得する操作員を配置する必要がなくなることから、防犯監視業務をネットワークを介した外部サービス機関に統轄することができ、システムを導入するユーザーは機器管理を考えずに済むようになる。
【００１３】
【考案の効果３】本発明のオプション装備版はインターネットなどの広域ネットワーク回線を使用しなくとも独立して稼動可能な簡易防犯監視システムとして家庭単位にまで普及可能なシステムであり、広域ネットワーク回線を携帯電話などに繋げば遠隔地から家庭単位の防犯監視データを検索確認すると共に現時点での映像及び音声を遠隔地に転送することができるようになる。
【００１４】
【考案の効果４】本発明は映像会議システムやビデオ配信システム、自動導線管理データ計測システム等への転用が可能であり、その使用範囲はネットワークを利用した遠隔防犯監視にとどまらない。
【図面の簡単な説明】
【図１】ネットワーク対応解像度可変デジタルカメラ５台のうち１台に無線ＬＡＮアダプタを装着、４ｃｈ＋１ｃｈマルチプレクサ型ネットワークモデムにデータ蓄積ディスクとディスプレイ、無線ＬＡＮ受信カードを装備した発達型システムと、インターネット等広域ネットワークを介したコンピュータから撮影状態指示を与えるソフトウェアを示した模式図である。
【図１】
0003098850.tif 000003
【手続補正書】
【提出日】平成14年8月26日(2002.8.26)
【手続補正１】
【補正対象書類名】明細書
【補正対象項目名】実用新案登録請求の範囲
【補正方法】変更
【補正の内容】
【実用新案登録請求の範囲】
【請求項１】
ＬＡＮ、ＷＡＮ等の外部ネットワークから撮影解像度及び撮影間隔、シャッター速度、画像圧縮比等のカメラ制御指示を受信して各画像毎に撮影状態を変更可能なデジタルカメラ。（図１）
【請求項２】
上記デジタルカメラに撮影状態を指示すると共に複数機のカメラからの画像データを整列させ、順次ネットワークに伝送するマルチプレクサ型ネットワークモデム及び画像モニタ、蓄積制御ユニット。（図１）
【手続補正書】
【提出日】平成14年12月4日(2002.12.4)
【手続補正１】
【補正対象書類名】明細書
【補正対象項目名】実用新案登録請求の範囲
【補正方法】変更
【補正の内容】
【実用新案登録請求の範囲】
【請求項１】
ネットワークを介して撮影解像度、撮影間隔、シャッター速度及び画像圧縮比を指示するカメラ制御指示を受信し、各画像毎に撮影状態を変更可能とすると共に、撮影した画像データをネットワークへ伝送するデイジタルカメラと、ネットワークを介してコンピュータからのカメラ制御指示を受信すると共に受信したカメラ制御指示をネットワークを介して前記デイジタルカメラへ伝送し、更に前記ネットワークを介して受信したデイジタルカメラからの画像データを整列させて順次ネットワークへ伝送するマルチプレクサ型ネットワークモデムと、前記ネットワークを介してマルチプレクサ型ネットワークモデムからの画像データを受信すると共に、前記ネットワークへカメラ制御指示を伝送するコンピュータと、から構成した撮影状態可変型ネットワーク画像伝送装置。
【請求項２】
マルチプレクサ型ネットワークモデムを、画像データを記録するディスクと画像を描画するディスプレイとを備えたマルチプレクサ型ネットワークモデムとした請求項１に記載の撮影状態可変型ネットワーク画像伝送装置。
【請求項３】
デイジタルカメラを、無線ネットワークアダプタを備えたデイジタルカメラとした請求項１に記載の撮影状態可変型ネットワーク画像伝送装置。